【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
仮想アドレスバーに従って表示装置に表示する内容を選択するシステムであって、
プロセッサおよびメモリを有するコンピューティング装置と、
内容を格納するために前記コンピューティング装置に通信するように結合された少なくとも１つの記憶装置と、
仮想アドレスバーを表示するために前記コンピューティング装置に通信するように結合された表示装置と、
を備え、
前記仮想アドレスバーは、複数のアドレスセグメントを含み、各アドレスセグメントは、前記記憶装置に格納された内容から内容を選択するための選択基準に相当し、
前記複数のアドレスセグメントの対応する選択基準は、前記表示装置に表示する内容を選択するための仮想アドレスを構成する
ことを特徴とするシステム。
【請求項２】
前記複数のアドレスセグメントはそれぞれ、ユーザの対話に応答し、かつ前記複数のアドレスセグメントを変更するように動作することが可能な対話式アドレスセグメントであることを特徴とする請求項１に記載のシステム。
【請求項３】
対話式アドレスセグメントは、ユーザの対話に応答し、かつ前記複数のアドレスセグメントを変更するように動作することが可能であり、対話式アドレスセグメントを操作すると、選択可能なピアフィルタのリストが前記ユーザに提示されることを特徴とする請求項２に記載のシステム。
【請求項４】
前記仮想アドレスバーに対して外部のユーザの対話に従って、追加的なアドレスセグメントが前記仮想アドレスバーに追加され、該追加的なアドレスセグメントと矛盾する前記複数のアドレスセグメントのいずれも前記仮想アドレスバーから削除されることを特徴とする請求項１に記載のシステム。
【請求項５】
前記仮想アドレスバーは、ユーザの対話に応答して従来型のアドレスバーとして動作するように設定可能であることを特徴とする請求項１に記載のシステム。
【請求項６】
前記仮想アドレスバーは、ファイルビューア及びオープンファイルダイアログビューの１つの中に埋め込まれ、前記表示装置に表示されることを特徴とする請求項１に記載のシステム。
【請求項７】
アドレスセグメントの対応する選択基準は、特定のファイルシステムの位置に格納された内容を選択するための選択基準を含むことを特徴とする請求項１に記載のシステム。
【請求項８】
アドレスセグメントの対応する選択基準は、内容の特定のファイルシステムの位置に関係なく前記内容を選択するための選択基準を含むことを特徴とする請求項１に記載のシステム。
【請求項９】
表示のためにコンピュータシステムにアクセス可能な内容を選択するための仮想アドレスバーのユーザインタフェースコントロールであって、前記仮想アドレスバーは、
それぞれが表示のために内容を選択する選択基準に相当する、複数の対話式セグメント
を備えた
ことを特徴とする仮想アドレスバーのユーザインタフェースコントロール。
【請求項１０】
対話式セグメントの対応選択基準は、任意の先行する対話式セグメントの対応選択基準によって選択された内容をさらに限定することを特徴とする請求項９に記載の仮想アドレスバーのユーザインタフェースコントロール。
【請求項１１】
前記仮想アドレスバー中の対話式セグメントを選択すると、当該選択された対話式セグメントに続くいずれかの対話式セグメントが前記仮想アドレスバーから削除されることを特徴とする請求項９に記載の仮想アドレスバーのユーザインタフェースコントロール。
【請求項１２】
前記仮想アドレスバー中の対話式セグメントを択一的に選択すると、選択可能なピアフィルタのリストが前記ユーザに提示されることを特徴とする請求項９に記載の仮想アドレスバーのユーザインタフェースコントロール。
【請求項１３】
前記仮想アドレスバーに対して外部のユーザの対話に従って、追加的な対話式セグメントが前記仮想アドレスバーに追加されることを特徴とする請求項９に記載の仮想アドレスバーのユーザインタフェースコントロール。
【請求項１４】
前記仮想アドレスバーは、ユーザの対話に従って従来型のアドレスバーとして動作するように設定可能であることを特徴とする請求項９に記載の仮想アドレスバーのユーザインタフェースコントロール。
【請求項１５】
従来型のアドレスバーとして動作するように設定可能な前記仮想アドレスバーは、ユーザの対話に従って仮想アドレスバーとして動作するように再設定可能であることを特徴とする請求項９に記載の仮想アドレスバーのユーザインタフェースコントロール。
【請求項１６】
前記仮想アドレスバーは、ファイルビューア及びオープンファイルダイアログビューの１つに埋め込まれて表示されることを特徴とする請求項９に記載の仮想アドレスバーのユーザインタフェースコントロール。
【請求項１７】
対話式セグメントの対応選択基準は、特定のファイルシステムの位置に格納された内容を選択するための選択基準を含むことを特徴とする請求項９に記載の仮想アドレスバーのユーザインタフェースコントロール。
【請求項１８】
対話式セグメントの対応選択基準は、内容のファイルシステムの位置に関係なく前記内容を選択するための選択基準を含むことを特徴とする請求項９に記載の仮想アドレスバーのユーザインタフェースコントロール。
【請求項１９】
仮想アドレスバーを使用して、コンピュータファイルシステムに格納された内容への仮想パスを提供する方法であって、
第１の対話式セグメントを含むように動作することが可能な仮想アドレスバーを表示するステップであって、前記第１の対話式セグメントは、内容を選択するための選択基準に従って前記コンピュータファイルシステム上の内容を参照するステップと、
前記仮想アドレスバーに１つまたは複数の追加的な対話式セグメントを追加するステップであって、各追加的な対話式セグメントは、それに先行する対話式セグメントによって参照された内容をさらに限定するステップと
を備え、
前記第１の対話式セグメントおよび前記１つまたは複数の追加的な対話式セグメントは、仮想パスを構成する
ことを特徴とする方法。
【請求項２０】
前記仮想アドレスバー上のユーザのアクションを監視し、検出するステップと、
前記仮想アドレスバー上のユーザのアクションを検出すると、当該検出されたユーザのアクションに従って前記仮想アドレスバーを更新するステップと
をさらに備えたことを特徴とする請求項１９に記載の方法。
【請求項２１】
前記仮想アドレスバーが、サイズ制限のために、前記第１の対話式セグメント、および前記１つまたは複数の追加的な対話式セグメントを表示することができないときに、ユーザのアクション可能なスクロールインジケータを表示するステップをさらに備えたことを特徴とする請求項１９に記載の方法。
【請求項２２】
前記第１の対話式セグメントおよび前記１つまたは複数の追加的な対話式セグメントの任意の１つは、前記コンピュータファイルシステム中の特定の位置に格納された内容を参照することを特徴とする請求項１９に記載の方法。
【請求項２３】
前記第１の対話式セグメントおよび前記１つまたは複数の追加的な対話式セグメントの任意の１つは、前記コンピュータファイルシステムにおける内容の特定の位置に関係なく前記内容を参照することを特徴とする請求項１９に記載の方法。
【請求項２４】
複数の対話式セグメントを含む仮想アドレスバーを表示するステップであって、各対話式セグメントは、表示装置に表示する内容を選択する選択基準に相当し、前記仮想アドレスバーは、前記複数の対話式セグメントそれぞれの対応選択基準に従って表示装置に表示する内容を選択するステップと、
前記仮想アドレスバー上のユーザのアクションを検出するステップと、
前記仮想アドレスバー上のユーザのアクションを検出すると、当該検出されたユーザのアクションに従って前記仮想アドレスバーを更新するステップと
を備えた方法を実行時に行うコンピュータ可読命令を有することを特徴とするコンピュータ読み取り可能な記録媒体。
【請求項２５】
検出された前記ユーザのアクションは対話式セグメントの選択であり、検出された前記ユーザのアクションに従って前記仮想アドレスバーを更新するステップは、選択された前記対話式セグメントに続く対話式セグメントを前記仮想アドレスバーから削除することを含むことを特徴とする請求項２４に記載のコンピュータ読み取り可能な記録媒体。
【請求項２６】
検出された前記ユーザのアクションは対話式セグメントの択一的な選択であり、検出された前記ユーザのアクションに従って前記仮想アドレスバーを更新するステップは、選択可能なピアフィルタのリストを前記ユーザに提示することを含むことを特徴とする請求項２４に記載のコンピュータ読み取り可能な記録媒体。
【請求項２７】
外部のユーザのアクションに従って前記仮想アドレスバーに追加的な対話式セグメントを追加するステップをさらに備えたことを特徴とする請求項２４に記載のコンピュータ読み取り可能な記録媒体。